(57)【特許請求の範囲】
【請求項１】
筆記体を収容する軸筒と、
前記軸筒の側面に軸方向に延びるように設けられたスライド孔と、
前記スライド孔内に軸方向にスライド可能に挿入されたスライド部と、
前記スライド部と一体に成形され、前記筆記体を前記軸筒の前端から出没させるノック部と、
前記スライド部と一体に成形され、前記軸筒の前記スライド孔の外側に露出された操作部と、
を備え、
前記軸筒は、前記スライド孔の後方側に、少なくとも１ｍｍの軸長を有する後端筒部を一体的に有し、
前記軸筒は、前記スライド孔の前方領域を取り囲み当該軸筒の肉厚方向に延びる周壁に、軸方向に延びる案内溝を有しており、
前記スライド部は、前記周壁に面した領域に前記案内溝に軸方向に摺動可能に係合する突条を有している
ことを特徴とする筆記具。
【請求項２】
前記軸筒は、導電性を有する材料から構成されており、
前記軸筒の後端領域には、導電体が取り付けられている
ことを特徴とする請求項１に記載の筆記具。
【請求項３】
前記導電体は、導電性を有するシリコンゴムである
ことを特徴とする請求項２に記載の筆記具。
【発明の詳細な説明】
【技術分野】
【０００１】
本発明は、クリップを軸筒に対して軸方向前方に押圧操作（ノック操作）することによって、軸筒の前端から筆記体のペン先を出没させる筆記具に関する。
【背景技術】
【０００２】
従来より、筆記具の１つとして、軸筒内に支持された筆記体の後方にノック部材を設け、このノック部材を軸筒に対して軸方向前方に押圧操作（ノック操作）することによって、軸筒の前端から筆記体のペン先を出没させる、というノック式の筆記具が知られている。
【０００３】
ノック部材は、軸筒の後端から突出するように設けられていることが一般的であるが、例えばＷＯ２０１１／０９６３５７Ａ１（特許文献１）では、軸筒の側面に取り付けられたクリップがノック部材としても機能する筆記具（サイドスライド式の筆記具）が提案されている。この場合、軸筒の後端領域にはノック部材が存在しないため、当該後端領域が軸筒に対して軸方向に相対移動することが無い。このことは、軸筒の後端領域に、例えばタッチパネルをタッチ操作するための導電体を取り付けた場合、安定したタッチ操作を可能とする。
【０００４】
特許文献１の筆記具においては、図１０及び図１１に示すように、クリップ２０７をノック部材として利用するために、中間軸２０４の後方領域と後軸２０５の前方領域とに、それぞれ、第１の長孔２４４及び第２の長孔２５１が設けられている。そして、組立時に、クリップ２０７の基部２７２が中間軸２０４の後端の開口から第１の長孔２４４に沿って中間軸２０４内に挿入される。この挿入の際、基部２７２の外周面に形成された突条と中間軸２０４の内周面に形成された凹条とが係合するように、基部２７２を中間軸２０４に対して周方向に正確に位置決する必要がある。そして、基部２７２が中間軸２０４内に挿入された状態で、中間軸２０４の後端領域に後軸２０５の前端領域が外嵌される。この時、第１の長孔２４４と第２の長孔２５１とが連なって、１つのスライド孔２２１が形成されるようになっている。クリップ２０７は、スライド孔２２１内を軸筒２０２に対して軸方向に相対移動可能であり、中間軸２０４内に設けられるカム機構と協働してノック部として機能するようになっている。
【先行技術文献】
【特許文献】
【０００５】
【特許文献１】ＷＯ２０１１／０９６３５７Ａ１号公報
【発明の概要】
【発明が解決しようとする課題】
【０００６】
引用文献１の筆記具は、前述の通り、クリップが軸筒の後端に形成された開口部を介して当該軸筒に取り付けられる際に、正確な位置決めが必要とされるため、その位置決めに時間がかかってしまうという問題があった。
【０００７】
本発明は、以上のような問題に鑑みて創案されたものである。本発明の目的は、サイドスライド式の筆記具を組み立てる際に、ノック部としてのクリップをスムーズに軸筒に組み付けることができる筆記具を提供することである。
【課題を解決するための手段】
【０００８】
本発明は、筆記体を収容する軸筒と、前記軸筒の側面に軸方向に延びるように設けられたスライド孔と、前記スライド孔内に軸方向にスライド可能に挿入されたスライド部と、前記スライド部と一体に成形され、前記筆記体を前記軸筒の前端から出没させるノック部と、前記スライド部と一体に成形され、前記軸筒の前記スライド孔の外側に露出された操作部と、を備え、前記軸筒は、前記スライド孔の後方側に、少なくとも１ｍｍの軸長を有する後端筒部を一体的に有していることを特徴とする筆記具である。
【０００９】
本発明によれば、スライド部を軸筒の側面からスライド孔の後方領域に挿入可能であるため、筆記具を組み立てる際に、スライド部の軸筒に対する径方向の位置決めが容易であり、当該スライド部を軸筒にスムーズに組み付けることができる。更に、軸筒は、スライド孔の後方側に、少なくとも１ｍｍの軸長を有する後端筒部を一体的に有しているため、軸筒の後端領域の強度を高めることができる。
【００１０】
また、好ましくは、前記軸筒は、導電性を有する材料から構成されており、前記軸筒の後端領域には、導電体が取り付けられている。
【００１１】
この場合、操作者が軸筒を把持した状態において導電体から当該操作者の指までの導電性が確保されるため、この状態で導電体をタッチパネルに接触させることによって、タッチパネルのタッチ操作を行うことができる。また、軸筒の後端領域がノック部ではないため、当該後端領域が軸筒に対して軸方向に移動することが無く、安定したタッチ操作を行うことができる。更に、軸筒の後端領域の強度が高められているため、前記タッチ操作の際に良好な操作感が実現される。
【００１２】
好ましくは、前記導電体は、導電性を有するシリコンゴムである。この場合、タッチパネルをタッチ操作した際に導電体が適度に弾性変形するため、操作感が良い導電体を提供することができる。
【００１３】
また、好ましくは、前記軸筒は、前記スライド孔の前方領域を取り囲み当該軸筒の肉厚方向に延びる周壁に、軸方向に延びるガイド部を有しており、前記スライド部は、前記周壁に面した領域に前記ガイド部に軸方向に摺動可能に係合する被ガイド部を有しており、前記スライド孔は、後方領域の幅が前記被ガイド部を除く前記スライド部の幅よりも広くなっている。
【００１４】
この場合、スライド部を軸筒の側面からスライド孔の後方領域に挿入して当該軸筒に対して軸方向前方に相対移動させることにより、容易に被ガイド部をガイド部にスライド可能に係合させることができる。
【発明の効果】
【００１５】
本発明によれば、スライド部を軸筒の側面からスライド孔の後方領域に挿入可能であるため、筆記具を組み立てる際に、スライド部の軸筒に対する径方向の位置決めが容易であり、当該スライド部を軸筒にスムーズに組み付けることができる。更に、軸筒は、スライド孔の後方側に、少なくとも１ｍｍの軸長を有する後端筒部を一体的に有しているため、軸筒の後端領域の強度を高めることができる。
【図面の簡単な説明】
【００１６】
【図１】本発明の一実施の形態の筆記具の概略側面図である。
【図２】図１の筆記具の概略的な縦断面図である。
【図３】図１の筆記具の後軸の概略的な縦断面図である。
【図４】図３のＡ−Ａ線断面図である。
【図５】図３のＢ−Ｂ線断面図である。
【図６】図１の筆記具のクリップの概略側面図である。
【図７】図１の筆記具の回転部材の概略図であり、図７（ａ）は、回転部材の概略底面図であり、図７（ｂ）は、回転部材の概略的な縦断面図であり、図７（ｃ）は、回転部材の概略平面図である。
【図８】図１の筆記具の押圧部材の概略図であり、図８（ａ）は、押圧部材の概略底面図であり、図８（ｂ）は、押圧部材の概略的な縦断面図であり、図８（ｃ）は、押圧部材の概略平面図である。
【図９】図１の筆記具の頭冠の概略図であり、図９（ａ）は、頭冠の概略底面図であり、図９（ｂ）は、頭冠の概略側面図であり、図９（ｃ）は、図９（ｂ）のＣ−Ｃ線断面図である。
【図１０】特許文献１の筆記具の概略縦断面図である。
【図１１】図１０の筆記具の中間軸及び後軸の概略正面図である。
【発明を実施するための形態】
【００１７】
以下に、添付の図面を参照して本発明の一実施の形態を詳細に説明する。
【００１８】
図１は、本発明の一実施の形態の筆記具１００の概略側面図であり、図２は、図１の筆記具１００の概略的な縦断面図である。図１及び図２に示すように、本実施の形態の筆記具１００は、筆記体４０を収容する軸筒１０と、軸筒１０（後軸２０）の側面に軸方向に延びるように設けられたスライド孔２１と、スライド孔２１内に軸方向にスライド可能に挿入されたスライド部５１と、スライド部５１と一体に成形され、筆記体４０を軸筒１０（前軸３０）の前端から出没させるノック部としての軸部５２と、スライド部５１と一体に成形され、スライド孔２１の外側に露出された操作部としてのクリップ本体５５と、を備えている。本実施の形態では、スライド部５１、軸部５２及びクリップ本体５５によって、クリップ５０が構成されている。
【００１９】
本実施の形態の軸筒１０は、後軸２０の前端領域に前軸３０の後端領域が螺着されて構成されている。本実施の形態の後軸２０は、カーボンが混入されたポリカーボネートから製造されており、導電性を有している。
【００２０】
また、本実施の形態の筆記体４０は、内部にインキが充填されたインキタンク４３と、インキタンク４３の前端領域に固定されたペン先４２と、を有している。ペン先４２としては、例えば、前端に回転可能なボールを有する金属性のボールペンチップが採用され得る。インキタンク４３の外径は、ペン先４２の後方領域の外径よりも大きくなっており、インキタンク４３の前端に、径方向外側に張り出した張出部４１が設けられている。この張出部４１よりも軸方向前方には、前軸３０の内周面に突出した突出部３１が設けられている。そして、張出部４１と突出部３１との間に、伸縮可能な弾性体としてのコイルバネ６０が圧縮状態で配置されており、筆記体４０を前軸３０に対して軸方向後方に付勢している。
【００２１】
筆記体４０の軸方向後方には、図２に示すように、後述されるカム機構７０の一部である回転部材７１及び押圧部材７２を介して、クリップ５０のスライド部５１が配置されている。このスライド部５１は、前述のコイルバネ６０の付勢力によって、回転部材７１及び押圧部材７２を介して、筆記体４０と共に軸方向後方に付勢されている。
【００２２】
次に、図３は、図１の筆記具１００の後軸２０の概略的な縦断面図であり、図４は、図３のＡ−Ａ線断面図であり、図５は、図３のＢ−Ｂ線断面図である。図３乃至図５に示すように、本実施の形態の後軸２０は、後端領域が他の領域よりも小径の縮径部２２となっている。当該縮径部２２の後端には、導電性のシリコンゴム９０を取り付けるための台座２３が設けられている。また、後軸２０の側面の後方領域に、軸方向に延びる長さ１７．７５ｍｍの開口であるスライド孔２１が形成されている。このスライド孔２１は、軸方向後方の長さ６．２ｍｍの領域である後方領域２１ａが縮径部２２に設けられており、軸方向前方の長さ１１．５５ｍｍの領域である前方領域２１ｂが縮径部２２よりも軸方向前方に設けられている。また、本実施の形態では、縮径部２２は、スライド孔２１の後方側に、２．４ｍｍの軸長を有する後端筒部２９を一体的に有している。スライド孔２１の幅は、後方領域２１ａにおいては２．１６ｍｍであり、前方領域２１ｂにおいては２．１ｍｍである。更に、後軸２０の外周面には、スライド孔２１の前端から軸方向前方に向かって２７．７５ｍｍの溝２４が形成されている。
【００２３】
本実施の形態では、図４に示すように、スライド孔２１の後方領域２１ａは、後軸２０の径方向内側に向かって次第に幅狭となっている。一方、図５に示すように、スライド孔２１の前方領域２１ｂは、後軸２０の径方向内側に向かって略同じ幅を維持している。更に、本実施の形態では、スライド孔２１の前方領域２１ｂを取り囲み後軸２０の肉厚方向に延びる周壁２８には、軸方向に延びるガイド部としての案内溝２６が設けられている。具体的には、本実施の形態では、後方領域２１ａを取り囲み後軸２０の肉厚方向に延びる周壁２５が、前方領域２１ｂの前端部近傍まで軸方向前方に延びている。この周壁２５の径方向外側の幅は、前方領域２１ｂの周壁２８の幅よりも大きいため、当該周壁２５によって軸方向に延びる案内溝２６が形成されている。更に、図４及び図５に示すように、縮径部２２を含む後軸２０の内周面には、スライド孔２１から後軸２０の周方向に略半周した位置に、軸方向に延びる案内溝２６ａが形成されている。
【００２４】
更に、図３に示すように、後軸２０は、縮径部２２よりも軸方向前方の内周面にカム本体部２７を有している。本実施の形態のカム本体部２７は、軸方向に延びる複数のカム歯２７ａ及びカム溝２７ｂが円周方向に沿って交互に配置されて構成されている。このカム本体部２７は、後述される回転部材７１及び押圧部材７２と協働して、筆記体４０のペン先４２が軸筒１０（前軸３０）の前端から突出した状態と、筆記体４０のペン先４２が軸筒１０（前軸３０）内に没入した状態と、を交互に実現させるようになっている。
【００２５】
次に、図６は、図１の筆記具１００のクリップ５０の概略側面図である。図７は、図１の筆記具１００の回転部材７１の概略図であり、図７（ａ）は、回転部材７１の概略底面図であり、図７（ｂ）は、回転部材７１の概略的な縦断面図であり、図７（ｃ）は、回転部材の概略平面図である。また、図８は、図１の筆記具１００の押圧部材７２の概略図であり、図８（ａ）は、押圧部材７２の概略底面図であり、図８（ｂ）は、押圧部材７２の概略的な縦断面図であり、図８（ｃ）は、押圧部材７２の概略平面図である。
【００２６】
図６に示すように、本実施の形態のクリップ５０は、樹脂製であり、軸方向に延びるクリップ本体５５と、クリップ本体５５の後方領域に一体的に形成されたスライド部５１と、スライド部５１の軸方向前方（図６における左方）に一体的成形され、前端領域に係合部５４が設けられたノック部としての軸部５２と、を有している。クリップ本体５５は、軸筒１０（後軸２０）に面する側（図６における下側）に玉部５６が一体に成形されている。この玉部５６は、後軸２０の外周面に設けられた溝２４内を軸筒１０（後軸２０）に対して軸方向に相対移動可能であると共に、当該溝２４との間で被挟持物を挟持可能となっている。
【００２７】
また、スライド部５１は、側面（図６における手前側の面及び奥側の面）に軸方向に伸びる被ガイド部としての突条５３を有していて、この突条５３が後軸２０の案内溝２６に摺動可能に係合されることにより、クリップ５０が後軸２０に対して軸方向に相対移動され得るようになっている。更に、ガイド部５１は、クリップ本体５５が一体に成形されている側とは反対側（図６の下側）の端部に突条５７を有していて、この突条５７が後軸２０の案内溝２６ａに摺動可能に係合されるようになっている。
【００２８】
本実施の形態では、軸部５２に回転部材７１及び押圧部材７２が取り付けられており（図２参照）、これら押圧部材７２及び回転部材７１とカム本体部２７とによって、カム機構７０が構成されている。
【００２９】
具体的には、回転部材７１は、例えばポリアセタール樹脂製であり、図７（ｃ）に示すように、外周面にカム本体部２７のカム歯２７ａまたはカム溝２７ｂに交互に係合可能な３つの突条７３を周方向に等間隔で有していると共に、図７（ｂ）及び図７（ｃ）に示すように、後端領域に複数のカム歯７４を有している。また、回転部材７１の内部には、軸方向（図７（ａ）及び図７（ｃ）における奥行方向、図７（ｂ）における左右方向）に貫通孔７５が形成されており、内周面の軸方向の一部において、径方向内側に突出した係合部７６が設けられている。
【００３０】
また、本実施の形態の押圧部材７２は、例えばポリアセタール樹脂製であり、図８（ａ）及び図８（ｃ）に示すように、外周面にカム本体部２７のカム溝２７ｂに軸方向に摺動可能に係合される６つの突条７７が周方向に等間隔で形成されていると共に、図８（ａ）及び図８（ｂ）に示すように、前端領域に複数の押圧面７８を有している。また、押圧部材７２の内部には、軸方向（図８（ａ）及び図８（ｃ）における奥行方向、図８（ｂ）における左右方向）に貫通孔７９が形成されている。
【００３１】
図２に戻って、本実施の形態では、クリップ５０の軸部５２に、押圧部材７２及び回転部材７１が軸方向前方に向かってこの順で外嵌されている。更に、回転部材７１の被係合部７６は、軸部５２の係合部５４に係合されており、これによって、当該回転部材７１及び押圧部材７２の軸部５２からの抜け落ちが防止されている。
【００３２】
また、本実施の形態では、図２に示すように、後軸２０の台座２３に、導電体として導電性を有するドーム状のシリコンゴム９０が外嵌されている。また、シリコンゴム９０の前方領域と後軸２０の縮径部２２とを取り囲むようにして、当該縮径部２２に、樹脂製の筒状の頭冠８０が外嵌されている。
【００３３】
本実施の形態の頭冠８０の概略図が、図９に示されている。図９（ａ）は、頭冠８０の概略底面図であり、図９（ｂ）は、頭冠８０の概略側面図であり、図９（ｃ）は、図９（ｂ）のＣ−Ｃ線断面図である。図９（ｂ）に示すように、本実施の形態の頭冠８０は、周方向の一部において、前方領域に幅２．２ｍｍ、長さ４．８ｍｍの切り欠き８１を有している。また、頭冠８０の後方領域の外径は、縮径部２２よりも軸方向前方における後軸２０の外径と略同一である。頭冠８０は、内周面の軸方向の一部において周方向に延びる被係合部８２を有しており、この被係合部８２は、縮径部２２の外周面の軸方向の一部において周方向に延びる係合部２２ａ（図２及び図３参照）と係合可能である。この係合によって、頭冠８０が縮径部２２に固定されるようになっている。
【００３４】
更に、頭冠８０は、内周面に軸方向に延びる複数の凹条８３を有している。これに対し、縮径部２２は、外周面に軸方向に延びる複数の突条２２ｂを有しており、凹条８３と突条２２ｂとの係合によって縮径部２２に対する頭冠８０の周方向の位置決めがなされると共に、頭冠８０が縮径部２２に固定された際に、頭冠８０の縮径部２２に対する軸線回りの相対回転が防止されるようになっている。本実施の形態では頭冠８０が縮径部２２に取り付けられた状態において、頭冠８０の切り欠き８１とスライド孔２１の前方領域２１ｂとが連なるようになっている。更に、頭冠８０の切り欠き８１の幅は、スライド部５１の突条５３の幅よりも狭く形成されている。このため、スライド部５１がスライド孔２１内に挿入された状態で頭冠８０が縮径部２２に対して固定されることにより、スライド部５１がスライド孔２１から抜け落ちないようになっている。
【００３５】
次に、本実施の形態の筆記具１００の組立方法について説明する。
【００３６】
まず、クリップ５０のスライド部５１が、後軸２０の側面からスライド孔２１内に挿入される。この時、スライド部５１の突条５７が後軸２０の案内溝２６ａに係合される。そして、例えば後軸２０の前端の開口が上方に向けられた状態で、必要に応じて適切な補助具を用いて、押圧部材７２及び回転部材７１が前記開口を介してこの順で後軸２０内に入れられ、それぞれ、スライド部５１の軸部５２に外嵌される。この時、押圧部材７２の突条７７は、後軸２０の内周面に形成されたカム本体部２７のカム溝２７ｂに係合される。そして、回転部材７１が軸部５２に対して軸方向後方（下方）に押圧されることにより、回転部材７１の被係合部７６が軸部５２の係合部５４に係合される。このことにより、回転部材７１及び押圧部材７２の軸部５２からの抜け落ちが防止される。
【００３７】
そして、筆記体４０の後端が回転部材７１の前端に当接するように、当該筆記体４０が後軸２０内に挿入される。そして、コイルバネ６０が筆記体４０のペン先４２を取り囲むように配置される。この時、コイルバネ６０は、後端が筆記体４０の張出部４１に当接される。この状態で、前軸３０の後端領域の外周面に形成された雄ねじ部が後軸２０の前端領域の内周面に形成された雌ねじ部に螺着され、前軸３０が後軸２０に対して固定される。これにより、筆記体４０の前方領域及びコイルバネ６０は、前軸３０の内部に収容される。この時、コイルバネ６０の前端は、前軸３０の内周面に突出した突出部３１に当接される。本実施の形態では、前軸３０が後軸２０に対して固定（螺着）された状態において、張出部４１と突出部３１との間の離間距離がコイルバネ６０の自然長よりも短くなっている。このため、コイルバネ６０は、圧縮状態で張出部４１と突出部３１との間に配置される。すなわち、筆記体４０は、コイルバネ６０の付勢力により、前軸３０に対して軸方向後方に付勢される。
【００３８】
そして、例えば後軸２０の後端が上方に向けられ、後軸２０の台座２３に導電性を有するシリコンゴム９０が外嵌される。そして、シリコンゴム９０の前方領域と後軸２０の縮径部２２とを取り囲むように、当該縮径部２２に頭冠８０が外嵌される。この時、頭冠８０の凹条と縮径部２２の突条２２ｂとの係合によって縮径部２２に対する頭冠８０の周方向の位置決めがなされると共に、頭冠８０が縮径部２２に固定された際における頭冠８０の縮径部２２に対する軸線回りの相対回転が防止される。この時、頭冠８０の切り欠き８１の後端によってスライド部５１が後軸２０に対して軸方向前方にわずかに相対移動されるため、スライド部５１の突条５３の前端領域が後軸２０の案内溝２６に係合される。
【００３９】
次に、本実施の形態の筆記具１００の作用について説明する。
【００４０】
筆記具１００は、初期状態において、筆記体４０のペン先４２が軸筒１０（前軸３０）内に没入されており、クリップ５０のスライド部５１の前方に位置する押圧部材７２の突条７７の後端が、コイルバネ６０の付勢力によって、カム溝２７ｂの後端の段部に当接されている（図２及び図３参照）。
【００４１】
筆記具１００を用いて紙面に筆記をする際、まず、使用者によって軸筒１０が把持され、クリップ５０が、コイルバネ６０の付勢力に対抗して軸筒１０に対して軸方向前方に押圧操作（ノック操作）される。この時、スライド部５１の突条５３、５７が後軸２０の案内溝２６、２６ａに沿って軸方向にスライドされるため、押圧操作時のクリップ５０のガタツキが抑制される。この押圧操作により、軸部５２に外嵌された回転部材７１のカム歯７４が、押圧部材７２の押圧面７８により押圧され、軸筒１０に対して軸方向前方に相対移動される。これに伴い、筆記体４０のペン先４２が、前軸３０の前端から露出される。そして、回転部材７１の突条７３の後端がカム溝２７ｂの前端よりも軸方向前方まで相対移動されると、押圧部材７２の押圧面７８と回転部材７１のカム歯７４との当接によって、回転部材７１がカム本体部２７に対して一定角度だけ回転される。そして、クリップ５０に加えられている押圧力が弱められると、コイルバネ６０の付勢力によって、筆記体４０と共に回転部材７１が軸筒１０に対して軸方向後方に相対移動される。この相対移動の途中で回転部材７１の突条７３がカム本体部２７のカム歯２７ａに係合されることにより、ペン先４２が軸筒１０（前軸３０）の先端から突出した状態が維持される。そして、使用者により前軸３０が把持されて、紙面に対して軸筒１０を所望に移動させることにより、筆記が行われる。
【００４２】
次に、ペン先４２が軸筒１０（前軸３０）の先端から突出した状態において、クリップ５０がコイルバネ６０の付勢力に対抗して軸筒１０に対して軸方向前方に押圧操作（ノック操作）されると、ペン先４２が軸筒１０（前軸３０）内に没入される。具体的には、クリップ５０の押圧操作により、軸部５２に外嵌された回転部材７１のカム歯７４が、押圧部材７２の押圧面７８により押圧され、軸筒１０に対して軸方向前方に相対移動される。そして、回転部材７１の突条７３の後端がカム歯２７ａの前端よりも軸方向前方まで相対移動されると、突条７３とカム歯２７ａとの係合が解除され、押圧部材７２の押圧面７８と回転部材７１のカム歯７４との当接によって回転部材７１がカム本体部２７に対して一定角度だけ回転される。そして、クリップ５０に対して加えられている押圧力が弱められると、コイルバネ６０の付勢力によって筆記体４０と共に回転部材７１がカム本体部２７に対して軸方向後方に相対移動される。この時、回転部材７１の突条７３が、カム溝２７ｂに案内されて軸方向後方に移動されることにより、ペン先４２が軸筒１０（前軸３０）内に没入される。
【００４３】
また、本実施の形態の筆記具１００は、タブレット端末等の静電容量式のタッチパネルを操作するためにも使用され得る。この場合、軸筒１０の後端領域に取り付けられた導電性のシリコンゴム９０が操作対象のタッチパネルに向けられた状態で、使用者によって後軸２０が把持され、タッチパネルが所望にタッチ操作される。このタッチ操作の際、操作対象のタッチパネルからシリコンゴム９０及び後軸２０を介して使用者の指まで通電されるため、タッチパネルを指で操作する時と同じような操作が実現される。
【００４４】
以上のような本実施の形態によれば、スライド部５１を軸筒１０（後軸２０）の側面からスライド孔２１の後方領域２１ａに挿入可能であるため、筆記具１００を組み立てる際に、スライド部５１の軸筒１０に対する径方向の位置決めが容易であり、スライド部５１を軸筒１０（後軸２０）にスムーズに組み付けることができる。更に、軸筒１０（縮径部２２）は、スライド孔２１の後方側に、２．４ｍｍの軸長を有する後端筒部２９を一体的に有しているため、後軸２０の後端領域の強度を高めることができる。
【００４５】
また、後軸２０は、導電性を有する材料から構成されており、後軸２０の後端領域には、導電性を有するシリコンゴム９０が取り付けられている。このため、操作者が軸筒１０を把持した状態においてシリコンゴム９０から当該操作者の指までの導電性が確保でき、この状態でシリコンゴム９０をタッチパネルに接触させることによって、タッチパネルのタッチ操作を行うことができる。また、軸筒１０の後端領域がノック部ではないため、当該後端領域が軸筒１０に対して軸方向に移動することが無く、安定したタッチ操作を行うことができる。更に、後軸２０の後端領域の強度が高められているため、前記タッチ操作の際に良好な操作感が実現される。
【００４６】
また、軸筒１０は、スライド孔２１の前方領域を取り囲み当該軸筒１０の肉厚方向に延びる周壁２８に、軸方向に延びる突条５３を有しており、スライド部５１は、周壁２８に面した領域に突条５３に軸方向に摺動可能に係合する案内溝２６を有しており、スライド孔は２１、後方領域の幅が突条５３を除くスライド部５１の幅よりも広くなっている。このため、スライド部５１を軸筒１０の側面からスライド孔２１の後方領域に挿入して当該軸筒１０に対して軸方向前方に相対移動させることにより、容易に突条５３を案内溝２６にスライド可能に係合させることができる。
【符号の説明】
【００４７】
１０  軸筒
２０  後軸
２１  スライド孔
２１ａ  後方領域
２１ｂ  前方領域
２２  縮径部
２２ａ  係合部
２２ｂ  突条
２３  台座
２４  溝
２５  周壁
２６  案内溝
２６ａ  案内溝
２７  カム本体部
２７ａ  カム歯
２７ｂ  カム溝
２８  周壁
２９  後端筒部
３０  前軸
３１  突出部
４０  筆記体
４１  張出部
４２  ペン先
４３  インキタンク
５０  クリップ
５１  スライド部
５２  軸部
５３  突条
５４  係合部
５５  クリップ本体
５６  玉部
５７  突条
６０  コイルバネ
７０  カム機構
７１  回転部材
７２  押圧部材
７３  突条
７４  カム歯
７５  貫通孔
７６  係合部
７７  突条
７８  押圧面
７９  貫通孔
８０  頭冠
８１  切り欠き
８２  被係合部
８３  凹条
９０  シリコンゴム
１００  筆記具
【図１】
0006559481.tif 000002
【図２】
0006559481.tif 000003
【図３】
0006559481.tif 000004
【図４】
0006559481.tif 000005
【図５】
0006559481.tif 000006
【図６】
0006559481.tif 000007
【図７】
0006559481.tif 000008
【図８】
0006559481.tif 000009
【図９】
0006559481.tif 000010
【図１０】
0006559481.tif 000011
【図１１】
0006559481.tif 000012